(57)【要約】【課題】  １台のレンズ操作装置で、速度制御モードと位置制御モードを切り替えることが可能であり、且つモードを切り替えると各々の制御モードに合った操作形態に切り替わるレンズ操作装置を提供する。【解決手段】  レンズ装置を操作するために回転する操作部材の操作角度に応じた指令値を出力するレンズ操作装置であって、弾性部材とカムとカムフォロアを含む復帰機構であって、前記操作部材の回転範囲の所定の復帰位置へ向かって前記操作部材が回転するよう弾性力を付与する復帰機構と、前記復帰機構によって前記弾性力が付与される有効状態と前記復帰機構によって前記弾性力が付与されない無効状態を切替える切替手段と、前記復帰機構が有効状態のときは速度制御モードで前記レンズ装置を制御し、前記復帰機構が無効状態のときは位置制御モードで前記レンズ装置を制御する制御手段と、を有する。【選択図】  図６
2016090590.tif 000002
【特許請求の範囲】
【請求項１】
レンズ装置を操作するために回転する操作部材の操作角度に応じた指令値を出力するレンズ操作装置であって、
弾性部材とカムとカムフォロアを含む復帰機構であって、前記操作部材の回転範囲の所定の復帰位置へ向かって前記操作部材が回転するよう弾性力を付与する復帰機構と、
前記復帰機構によって前記弾性力が付与される有効状態と前記復帰機構によって前記弾性力が付与されない無効状態を切替える切替手段と、
前記復帰機構が有効状態のときは速度制御モードで前記レンズ装置を制御し、前記復帰機構が無効状態のときは位置制御モードで前記レンズ装置を制御する制御手段と、
を有することを特徴とするレンズ操作装置。
【請求項２】
前記復帰機構が無効状態のときに、前記操作部材の回転に対して負荷を与える負荷機構を備え、
前記負荷機構は、前記復帰機構が無効状態のときに、前記弾性部材によって、前記操作部材の操作位置を保持する、
ことを特徴とする請求項１に記載のレンズ操作装置。
【請求項３】
前記復帰機構において、前記カムと前記カムフォロアの一方は前記操作部材と一体で回転するように構成され、前記カムと前記カムフォロアは前記弾性部材の弾性力によって互いに当接し、前記カムは前記操作部材の操作角度に応じて前記弾性部材の弾性力によって前記操作部材を前記復帰位置へ向かって回転させるように構成され、
前記切替手段は前記カムの、前記操作部材と同軸の回転を規制することで前記復帰機構を有効状態とし、前記カムの前記操作部材と同軸の回転を可能にすることで前記復帰機構を無効状態とする、
ことを特徴とする請求項１又は２に記載のレンズ操作装置。
【請求項４】
前記復帰機構において、前記カムは前記操作部材と一体で回転するように構成され、
前記カムフォロアはコマ部材に固定され、前記カムフォロアは該コマ部材を介して受けた前記弾性部材の弾性力によって前記カムに当接し、
前記切替手段は前記コマ部材の、前記操作部材と同軸の回転を規制することで前記復帰機構を有効状態とし、前記コマ部材の前記操作部材と同軸の回転を可能にすることで、前記復帰機構を無効状態とする、
ことを特徴とする請求項１乃至３のいずれか１項に記載のレンズ操作装置。
【請求項５】
前記操作部材の回転角度を検出する角度検出部と、
前記レンズ装置から操作対象であるレンズの位置を取得する位置取得手段と、
を有し、
前記制御手段は、位置制御モードに切り替わった時は、前記角度検出部によって検出された前記操作部材の操作角度に対応する位置が、前記位置取得手段で取得したレンズ位置と一致するまで、位置制御モードの初期化中として、位置制御モードでの制御は開始しない、
ことを特徴とする請求項１乃至４のいずれか１項に記載のレンズ操作装置。
【請求項６】
前記制御手段が、速度制御モードか、位置制御モードか、位置制御モードの初期化中、のいずれの状態であるかを表示する表示部を有することを特徴とする請求項１乃至５のいずれか１項に記載のレンズ操作装置。
【請求項７】
前記位置制御モードの時にのみ視認可能な位置に配置された、前記操作部材の回転操作量を視認可能な目盛を有する、ことを特徴とする請求項１乃至６のいずれか１項に記載のレンズ操作装置。
【請求項８】
レンズ装置と、該レンズ装置を操作する請求項１乃至７のいずれか１項に記載のレンズ操作装置と、を含むことを特徴とするレンズシステム。
【請求項９】
請求項８に記載のレンズシステムと、撮像素子と、を有することを特徴とする撮像システム。
【発明の詳細な説明】
【技術分野】
【０００１】
本発明は、レンズ操作装置、特に回転操作によりズームレンズの駆動系を制御するレンズ操作装置に関するものである。
【背景技術】
【０００２】
従来、テレビカメラ用レンズにおいて、撮影者はズーム操作を行うためにレンズ操作装置を使用する。このレンズ操作装置は撮影者が手動で操作するための操作部材を有する。操作部材の回転範囲の中立点からテレ方向およびワイド方向へ回転操作することにより、操作部材の回転軸に取付けられた角度センサから角度信号を得る。得られた角度信号が操作部材の中立点であれば、ズーム駆動信号の出力は行わない。中立点以外のテレ方向もしくはワイド方向での角度信号が得られれば、その角度に応じてテレ方向もしくはワイド方向へ、テレビカメラ用レンズ内のモータ等の駆動装置を介して、ズームの駆動速度を制御する。撮影者が操作しない時には、操作部材が傾くことで角度信号が発生することが無いよう、弾性部材とカム部材及びカム部材に係合する摺動部材により、常に操作部材が中立点に復帰する構成を有する。
【０００３】
例えば、特許文献１では、レンズ操作装置の中立点復帰機構に関する技術が開示されている。
【先行技術文献】
【特許文献】
【０００４】
【特許文献１】特開平８−１８４７４３号公報
【発明の概要】
【発明が解決しようとする課題】
【０００５】
一方、シネマ用レンズにおいては、撮影者が撮影中にズーム操作を行うことは少なく、撮影シーンごとに決められた画角で撮影を行う。そのため、シネマ用途の撮影者からは、操作部材の操作角度位置に応じたズームの位置をコントロールするレンズ操作装置の要望がある。
【０００６】
しかしながら、撮影者がテレビカメラ用レンズとシネマ用レンズのレンズ操作装置を各々揃えると高額となり、且つ装置を収納するスペースも必要になるため撮影者にかかる負担が大きい。
【０００７】
本発明では、１台のレンズ操作装置で、速度制御モードと位置制御モードを切り替えることが可能であり、且つモードを切り替えると各々の制御モードに合った操作形態に切り替え可能なレンズ操作装置を提供することを目的とする。
【課題を解決するための手段】
【０００８】
本発明のレンズ操作装置は、レンズ装置を操作するために回転する操作部材の操作角度に応じた指令値を出力するレンズ操作装置であって、弾性部材とカムとカムフォロアを含む復帰機構であって、前記操作部材の回転範囲の所定の復帰位置へ向かって前記操作部材が回転するよう弾性力を付与する復帰機構と、前記復帰機構によって前記弾性力が付与される有効状態と前記復帰機構によって前記弾性力が付与されない無効状態を切替える切替手段と、前記復帰機構が有効状態のときは速度制御モードで前記レンズ装置を制御し、前記復帰機構が無効状態のときは位置制御モードで前記レンズ装置を制御する制御手段と、を有することを特徴とする。
【発明の効果】
【０００９】
１台のレンズ操作装置で、速度制御モードと位置制御モードを切り替えることが可能であり、且つモードを切り替えると各々の制御モードに合った操作形態に切り替え可能なレンズ操作装置を提供することが出来る。
【図面の簡単な説明】
【００１０】
【図１】実施例１のレンズ操作装置の断面図である。
【図２】図１のＡ−Ａ断面図であり、（ａ）は速度制御モードの状態、（ｂ）は位置制御モードの状態である。
【図３】実施例１のレンズ操作装置の側面図であり、（ａ）は速度制御モードの状態、（ｂ）は位置制御モードの状態である。
【図４】実施例１のレンズ操作装置の速度制御モード時の要部斜視図であり、（ａ）は操作部材を操作していない状態、（ｂ）は操作部材を操作した状態である。
【図５】図４のＢ視図である。
【図６】実施例１のレンズ操作装置の位置制御モード時の要部斜視図であり、（ａ）は操作部材を操作していない状態、（ｂ）は操作部材を操作した状態である。
【図７】図６のＢ視図である。
【図８】実施例１のフローチャートである。
【図９】実施例２のレンズ操作装置の断面図である。
【図１０】図９のＡ−Ａ断面図であり、（ａ）は速度制御モードの状態、（ｂ）は位置制御モードの状態である。
【図１１】実施例２のレンズ操作装置の側面図であり、（ａ）は速度制御モードの状態、（ｂ）は位置制御モードの状態である。
【図１２】実施例２のレンズ操作装置の速度制御モード時の要部斜視図であり、（ａ）は操作部材を操作していない状態、（ｂ）は操作部材を操作した状態である。
【図１３】図１２のＢ視図である。
【図１４】実施例２のレンズ操作装置の位置制御モード時の要部斜視図であり、（ａ）は操作部材を操作していない状態、（ｂ）は操作部材を操作した状態である。
【図１５】図１４のＢ視図である。
【図１６】実施例２のレンズ操作装置の上面図であり、（ａ）は速度制御モードの状態、（ｂ）は位置制御モードの状態である。
【発明を実施するための形態】
【００１１】
以下に、本発明の好ましい実施の形態を、添付の図面に基づいて詳細に説明する。図１〜１６は、本発明の実施形態にかかわるレンズ操作装置である。
【実施例１】
【００１２】
以下、図１〜８を参照して、本発明の第１の実施例に係るレンズ操作装置について説明する。
【００１３】
図１に基づいて、操作部材１による角度検出構造について説明する。
【００１４】
本発明のレンズ操作装置は、レンズ装置のレンズ等の操作対象を操作するためのレンズ操作装置であって、回転する操作部材を有し、操作部材の操作角度に応じた指令値をレンズ装置に出力することによって、所望の操作対象を操作するレンズ操作装置である。
【００１５】
操作部材１はネジ２によって、コマ３を介して回転軸４に取り付けられる。回転軸４は、筐体筒５に設けたベアリング６及び７を介し、筐体筒５に対して回転可能に取り付けられる。筐体筒５には板金８を介して角度センサ（角度検出部）９が固定される。角度センサ９のセンサ軸９ａは回転することで角度を検出する軸であり、該センサ軸９ａが回転軸４に固定される。また、筺体筒５には蓋部材１０を介して基板１１が固定される。角度センサ９からの信号線は基板１１を介して、図示されないレンズ装置と接続される。このような構造において、操作部材１を回転操作すると、回転軸４を介してセンサ軸９ａが回転するため、操作部材１の回転角度信号が検出される。この検出された角度信号に基づき、レンズ装置のズーム部が駆動する。
【００１６】
図１〜５に基づいて、速度制御モード時の操作部材１が所定の復帰位置に復帰する構造と操作部材１を操作した時の操作感が発生する構造について説明する。
【００１７】
切替部材（切替手段）１２はカバー１３及び筺体筒５を介して抜け止めリング１４によって、筺体筒５に対してスライド移動可能に保持される。切替筒１５は、筺体筒５と押え環１６によって、筺体筒５に対して回転可能に保持される。
【００１８】
図３（ａ）で示すように、速度制御モード時は撮影者によって、切替部材１２の指標１２ａがカバー１３に印字されているＳＰＥＥＤ側になるよう配置される。すると、図２（ａ）及び図４で示すように、切替部材１２のピン部（切替手段）１２ｂが切替筒１５の回転規制溝部１５ａと係合し、筺体筒５に対する切替筒１５の回転が規制される。指標１２ａがカバー１３に印字されているＳＰＥＥＤ側になるよう切替部材１２が位置している状態では、以下で説明するように復帰機能が有効な状態（有効状態）となる。
【００１９】
回転軸４に固定されたカムコロ（カムフォロア）１７とスライドカム１８に設けられたカム溝１８ａ、及びスライドカム１８に固定された直動コロ１９と切替筒１５に設けられた直溝１５ｂが各々係合する。また、筐体筒５にはカバー１３及び内径にネジ部２０ａが設けられた蓋２０が取り付けられる。蓋２０にはネジ部２０ａと係合するネジ部２１ａを持つバネ受け２１が設けられる。バネ受け２１は調整つまみ２２とネジ２３で連結固定される。すると調整つまみ２２を回転することで、バネ受け２１はネジ送り可能となる。スライドカム１８とバネ受け２１の間には、常に押された状態の圧縮コイルバネ（弾性部材）２４が設けられる。
【００２０】
このような構造において、図４（ａ）及び図５（ａ）のように撮影者が操作部材１に触れていない状態では、圧縮コイルバネ２４により、直動コロ１９と直溝１５ｂにより切替筒１５に対して回転軸４と同軸の回転が規制されたスライドカム１８のカム溝１８ａがカムコロ１７を押す。すると、回転軸４はカムコロ１７とカム溝１８ａが安定位置となるように保持される。結果、操作部材１が中立点（復帰位置）への復帰状態となる。次に、図４（ｂ）及び図５（ｂ）のように撮影者が操作部材１を回転操作すると、カムコロ１７はカム溝１８ａに係合しながら回転方向にのみ動き、スライドカム１８はカム溝１８ａに沿って圧縮コイルバネ２４を更に押す。撮影者はこの圧縮コイルバネ２４を押すことで受ける反発力を感じるため、それが撮影者の操作感となる。ここで、撮影者が操作部材１から手を離すと、上述で説明した通り図４（ａ）及び図５（ａ）のように操作部材１は付与されている弾性力によって中立点（復帰位置）の復帰状態に戻る。また、調整つまみ２２を回転させることで、バネ受け２１がネジ送りされるため、圧縮コイルバネ２４の押す力を変化させることが可能であり、つまりは撮影者の操作感を変化させることが可能となる。図１〜図３及び図６〜図７に基づいて、位置制御モード時の操作部材１が撮影者の操作位置に保持される構造と操作部材１を操作した時の操作感が発生する構造について説明する。
【００２１】
図３（ｂ）で示すように、位置制御モード時は切替部材１２の指標１２ａがカバー１３に印字されているＰＯＳＩＴＩＯＮ側に撮影者によって配置される。すると、図２（ｂ）及び図６で示すように、切替部材１２のピン部１２ｂが切替筒１５の規制解除溝部１５ｃ側に配置され、切替筒１５は筺体筒５に対して規制解除溝部１５ｃが開口している範囲内において回転軸４と同軸の回転が可能となる。指標１２ａがカバー１３に印字されているＰＯＳＩＴＩＯＮ側になるよう切替部材１２が位置している状態では、以下で説明するように復帰機能が無効な状態（無効状態）となる。
【００２２】
このような構造において、図６（ａ）及び図７（ａ）のように撮影者が操作部材１に触れていない状態では、圧縮コイルバネ２４により、スライドカム１８のカム溝１８ａはカムコロ１７に当接し押圧される。結果、回転軸４を介してカムコロ１７と接続される操作部材１は、圧縮コイルバネ２４とスライドカム１８又はバネ受け２１との摩擦力によってその回転位置（角度）が維持される。次に、図６（ｂ）及び図７（ｂ）のように撮影者が操作部材１を回転操作すると、切替筒１５が筺体筒５に対して回転可能であるため、回転軸４とスライドカム１８と切替筒１５が全て一体となって回転する。この時、圧縮コイルバネ２４とスライドカム１８又はバネ受け２１（回転負荷機構）が滑り、撮影者はこの圧縮コイルバネ２４から受ける動摩擦力を感じるため、それが回転に対する負荷となり操作者にとっては操作感となる。ここで、撮影者が操作部材１から手を離すと、上述した通り操作部材１は、圧縮コイルバネ２４とスライドカム１８又はバネ受け２１との摩擦力によって保持されるため、図４（ｂ）及び図５（ｂ）の操作状態が維持される。また、調整つまみ２２を回転させることで、バネ受け２１がネジ送りされるため、圧縮コイルバネ２４の押す力を変化させることが可能であり、つまりは撮影者の操作感を変化させることが可能となる。
【００２３】
このように本発明のレンズ操作装置においては、圧縮コイルバネ２４、カム溝１８ａ、カムコロ１７は、操作部材１の回転範囲の所定の位置を安定位置として、操作部材１の回転位置を安定位置に弾性力により復帰させる、復帰機構を構成している。ここで、本実施例においては、カムコロ１７が回転軸４に固定され、カム溝１８ａがスライドカム１８側に構成され、互いに軸方向に押圧する方向の力を受けていたが、本発明はこの構成に限定されることはない。例えば、カム溝１８ａが回転軸４に固定され、カムコロ１７がスライドカム１８側に構成されていても本発明の効果を享受することができる。
【００２４】
図１〜２に基づいて、速度制御モードと位置制御モードのモード検出時の動作について説明する。
【００２５】
スライド部材２５は切替部材１２と係合することで、筺体筒５に対してスライド可能に保持される。また、スライド部材２５には接点２６が固定される。一方、筺体筒５には基板１１に接続されるモード検出部２７が固定される。接点２６とモード検出部２７が接触することで、速度制御モードと位置制御モードのモードの切替えを検出することが可能となる。更に、筺体筒５にはモードを視認するための表示部２８が固定され、表示部２８は基板１１に接続される。
【００２６】
図８のフローチャートに基づいて、速度制御モードと位置制御モードの切替え時の制御方法について説明する。
【００２７】
ＳＴＥＰ１では、切替部材が速度制御モードであるかを判断する。速度制御モードであればＳＴＥＰ２に進む。位置制御モードであればＳＴＥＰ６に進む。ＳＴＥＰ２では、モードを速度制御にする。ＳＴＥＰ３では表示部を消灯し、撮影者に速度制御モードであることを知らせる。ＳＴＥＰ４では、撮影者によって操作された操作部材の角度を検出する。ＳＴＥＰ５では検出された角度ΔＺに基づいてレンズ装置のズーム速度を制御する。ＳＴＥＰ６ではレンズ装置のズームに与える速度制御の信号を０にし、操作部材によってズームが動かない状態にする。これ以後、ＳＴＥＰ１１で位置制御モードに移行完了するまでを位置制御モードの初期化中とし、以下に記載する所定の条件が成立するまで、当該レンズ操作装置からは位置制御モードでの操作対象の制御（操作）をすることはできない。ＳＴＥＰ７では表示部を点滅させて、撮影者に位置制御モードの初期化中であることを知らせる。ＳＴＥＰ８では、不図示のレンズ位置取得手段によって、レンズ装置側のズーム位置情報（レンズ位置）ｚを取得する。ＳＴＥＰ９ではレンズ操作装置の操作部材の角度検出情報Ｚを取得する。ＳＴＥＰ１０では撮影者によって操作部材が操作され、ズーム位置情報ｚと角度検出情報Ｚとが一致すれば（ｚ＝Ｚになれば）（操作部材１の角度検出情報に対応する位置とズーム位置情報ｚとが一致すれば）ＳＴＥＰ１１に進む。ズーム位置情報ｚと角度検出情報Ｚとが一致しなければ（ｚ＝Ｚにならなければ）（操作部材１の角度検出情報に対応する位置とズーム位置情報ｚとが一致しなければ）ＳＴＥＰ１に戻る。ＳＴＥＰ１１ではモードを位置制御モードにする。ＳＴＥＰ１２では表示部を点灯させ、撮影者に位置制御モードの初期化が完了し、位置制御モードが開始されたことを知らせる。ＳＴＥＰ１３では、ｚ＝Ｚの関係を保つようにレンズ装置のズーム位置を制御する。ＳＴＥＰ１４では切替部が速度制御モードであるかを再度判断し、速度制御モードであればＳＴＥＰ２へ進み、位置制御モードであればＳＴＥＰ１３へ進む。
【００２８】
この制御により、速度制御モードから位置制御モードに移行した直後であっても、撮影者の意図しない不自然な駆動を防止することができる。以上の構造によって、１台のレンズ操作装置で、速度制御モードと位置制御モードを切り替えることが可能であり、且つモードを切り替えると各々の制御モードに合った操作形態に切り替わることが出来る。
【００２９】
また、１つの圧縮コイルバネで２つのモードの操作感を変更することが出来るため、小型化且つ低コストとなる。
【００３０】
更に、速度制御モードから位置制御モードに切替える時にはイニシャライズ動作が行われるため、撮影者が予期しない切替時のズーム誤動作を防ぐことが出来る。
【実施例２】
【００３１】
以下、図９〜図１６を参照して、本発明の第２の実施例によるレンズ操作装置について説明する。
【００３２】
図９に基づいて、操作部材３１による角度検出構造について説明する。
【００３３】
操作部材３１はネジ３２によって、コマ（コマ部材）３３を介して回転軸３４に取り付けられる。回転軸３４は筐体筒３５に設けたベアリング３６及び３７を介し取り付けることで、筐体筒３５に対して回転可能となる。筐体筒３５には板金３８を介して角度センサ３９が固定される。角度センサ３９に設けられた回転することで角度を検出するセンサ軸３９ａが回転軸３４に固定される。また、筺体筒３５には蓋部材４０を介して基板４１が固定される。角度センサ３９は基板４１を介して、図示されないレンズ装置と接続される。このような構造において、操作部材３１を回転操作すると、回転軸３４を介してセンサ軸３９ａが回転するため、操作部材３１の回転角度信号が検出される。この検出された角度信号により、レンズ装置のズーム部が駆動する。
【００３４】
図９〜図１３に基づいて、速度制御モード時の操作部材３１が中立点（復帰位置）に復帰する構造と操作部材３１を操作した時の操作感が発生する構造について説明する。
【００３５】
切替部材４２はカバー４３及び筺体筒３５を介して抜け止めリング４４によって、筺体筒３５に対してスライド移動可能に保持される。また切替筒４５は、圧縮コイルばね４６を介して筺体筒３５と押え環４７によって、筺体筒３５に対してガタなく回転可能に保持される。
【００３６】
図１１（ａ）で示すように、速度制御モード時は撮影者によって、切替部材４２の指標４２ａがカバー４３に印字されているＳＰＥＥＤ側になるよう配置される。すると、図１０（ａ）及び図１２で示すように、切替部材４２のピン部４２ｂが切替筒４５の回転規制溝部４５ａと係合し、筺体筒３５に対する切替筒４５の回転が規制される。
【００３７】
回転コマ４８は軸４９を介し、切替筒４５に対して軸４９を中心に回転可能に保持される。回転コマ４８にはカムコロ５０が取り付けられ、カムコロ５０と回転軸３４に設けられたカム溝３４ａが係合する。また、筐体筒３５にはカバー４３及び内径にネジ部５１ａが設けられた蓋５１が取り付けられる。蓋５１にはネジ部５１ａと係合するネジ部５２ａを持つバネ受け５２が設けられる。バネ受け５２は調整つまみ５３とネジ５４により連結固定される。すると調整つまみ５３を回転することで、バネ受け５２はネジ送り可能となる。回転コマ４８とバネ受け５２の間には、常に押された状態の圧縮コイルバネ５５がカラー部材５６を介して設けられる。
【００３８】
このような構造において、図１３（ａ）及び図１４（ａ）のように撮影者が操作部材３１に触れていない状態では、カラー部材５６を介して圧縮コイルバネ５５により回転コマ４８が押される。すると、回転コマ４８に設けられたカムコロ５０はカム溝３４ａを押すため、回転軸３４はカムコロ５０とカム溝３４ａが安定位置となるように保持される。結果、操作部材３１が復帰状態となる。次に、図１２（ｂ）及び図１３（ｂ）のように撮影者が操作部材３１を回転操作すると、カムコロ５０はカム溝３４ａに係合しながら、軸４９を中心とした回転動作を行う。つまりは、回転コマ４８はカム溝３４ａに沿って、カラー部材５６を介して圧縮コイルバネ５５を更に押す。撮影者はこの圧縮コイルバネ５５を押すことで受ける反発力を感じるため、それが回転に対する負荷となり撮影者にとっては操作感となる。ここで、撮影者が操作部材３１から手を離すと、上述で説明した通り図１２（ａ）及び図１３（ａ）のように操作部材３１は復帰状態に戻る。また、調整つまみ５３を回転させることで、バネ受け５２がネジ送りされるため、圧縮コイルバネ５５の押す力を変化させることが可能であり、つまりは撮影者の操作感を変化させることが可能となる。
【００３９】
図９〜図１１及び図１４〜図１５に基づいて、位置制御モード時の操作部材３１が撮影者の操作位置に保持される構造と操作部材３１を操作した時の操作感が発生する構造について説明する。
【００４０】
図１１（ｂ）で示すように、位置制御モード時は切替部材４２の指標４２ａがカバー４３に印字されているＰＯＳＩＴＩＯＮ側に撮影者によって配置される。すると、図１０（ｂ）及び図１４で示すように、切替部材４２のピン部４２ｂが切替筒４５の規制解除溝部４５ｂ側に配置され、切替筒４５は筺体筒３５に対して回転可能となる。
【００４１】
このような構造において、図１４（ａ）及び図１５（ａ）のように撮影者が操作部材３１に触れていない状態では、圧縮コイルバネ５５はカラー部材５６を介して回転コマ４８を押す。すると、回転コマ４８に設けられたカムコロ５０はカム溝３４ａを介して回転軸３４押す。結果、操作部材３１はカラー部材５６と回転コマ４８との摩擦力によって保持される。次に、図１４（ｂ）及び図１５（ｂ）のように撮影者が操作部材３１を回転操作すると、切替筒４５が筺体筒３５に対して回転可能であるため、回転軸３４と回転コマ４８と切替筒４５が全て一体となって回転する。この時、カラー部材５６と回転コマ４８が滑り、撮影者はこの動摩擦力を感じるため、それが操作感となる。ここで、撮影者が操作部材３１から手を離すと、上述で説明した通り操作部材３１は、カラー部材５６と回転コマ４８との摩擦力によって保持されるため、図１４（ｂ）及び図１５（ｂ）の操作状態が維持される。また、調整つまみ５３を回転させることで、バネ受け５２がネジ送りされるため、圧縮コイルバネ５５の押す力を変化させることが可能であり、つまりは撮影者の操作感を変化させることが可能となる。
【００４２】
図９〜１０及び図１６に基づいて、速度制御と位置制御のモード検出時の動作について説明する。
【００４３】
スライド部材５７は切替部材４２と係合することで、筺体筒３５に対してスライド可能に保持される。また、スライド部材５７には接点５８が固定される。一方、筺体筒３５には基板４１に接続されるモード検出部５９が固定される。接点５８とモード検出部５９が接触することで、速度制御と位置制御のモードの切替えを検出することが可能となる。更に、筺体筒３５にはモードを視認するための表示部６０が固定され、表示部６０は基板４１に接続される。加えて、スライド部材５７には目盛である指標部５７ａが設けられる。すると、図１６（ａ）のように速度制御モード時には指標部５７ａは撮影者から視認することは出来ないが、図１６（ｂ）のように位置制御モード時は撮影者から視認可能となる。結果、位置制御モードの時のみ撮影者が操作部材３１に設けられた指標部３１ａと５７ａを合わせて操作部材３１の回転操作量を視認することが可能となる。
【００４４】
速度制御と位置制御の切替え時の制御方法については実施例１と同じため、省略する。
【００４５】
以上の構造によって、１台のレンズ操作装置で、速度制御モードと位置制御モードを切り替えることが可能であり、且つモードを切り替えると各々の制御モードに合った操作形態に切り替えることが出来る。
【００４６】
また、１つの圧縮コイルバネで２つのモードの操作感を変更することが出来るため、小型化且つ低コストとなる。
【００４７】
更に、位置制御モードの時にのみ撮影者から指標が視認出来るようになるため、速度制御時の操作性を損なうことなく、位置制御時の撮影者の操作性を向上させることが可能となる。
【００４８】
上述した本発明のレンズ操作装置と、該レンズ操作装置が接続されたレンズ装置とによってレンズシステムを構成することにより、本発明のレンズ操作装置の作用効果を享受できる、操作性に優れたレンズシステムを構成することができる。さらに、該レンズシステムと、撮像素子を含む撮像装置とによって撮像システムを構成することにより、本発明のレンズ操作装置の作用効果を享受できる、操作性に優れたレンズシステムを構成することができる。
【００４９】
以上、本発明の好ましい実施形態について説明したが、本発明はこれらの実施形態に限定されず、その要旨の範囲内で種々の変形及び変更が可能である。
【符号の説明】
【００５０】
１    ・・・操作部材
１２  ・・・切替部材（切替手段）
１２ｂ・・・ピン部（切替手段）
１５  ・・・切替筒
１５ａ・・・回転規制溝部
１５ｃ・・・規制解除溝部
１７  ・・・カムコロ（カム摺動部材）
２４  ・・・圧縮コイルバネ（弾性部材）
【図１】
2016090590.tif 000003
【図２】
2016090590.tif 000004
【図３】
2016090590.tif 000005
【図４】
2016090590.tif 000006
【図５】
2016090590.tif 000007
【図６】
2016090590.tif 000008
【図７】
2016090590.tif 000009
【図８】
2016090590.tif 000010
【図９】
2016090590.tif 000011
【図１０】
2016090590.tif 000012
【図１１】
2016090590.tif 000013
【図１２】
2016090590.tif 000014
【図１３】
2016090590.tif 000015
【図１４】
2016090590.tif 000016
【図１５】
2016090590.tif 000017
【図１６】
2016090590.tif 000018